【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
貨物格納室をモニターするモニター機器であって、
電源；
前記貨物格納室の内部表面上に配置されており、エネルギー信号を発し、発せられたエネルギー信号を受信し、出力することのできるセンサー；
前記センサーに電気的に接続されたモニター電子機器であって、該モニター電子機器はローカル記録メモリー媒体からなり、該モニター電子機器は発せられたエネルギー信号の変化をトリガー事象（ｔｒｉｇｇｅｒ  ｅｖｅｎｔ）として検知且つ記録することができるようにしてなるモニター電子機器；及び
モニター電子機器により提供された、トリガー事象に関する情報を送信するために通信に適合するようにモニター電子機器に接続された無線送信機であって、該情報はモニター機器識別子を含むようにしてなる無線送信機
を備える前記モニター機器。
【請求項２】
更に、リーダーからのコマンド及びデータを受信する無線受信機を含む請求項１に記載のモニター機器。
【請求項３】
更に、マイクロプロセッサをスリープモードに置く手段、及びモニター活動を行うために定期的にマイクロプロセッサをスリープ状態から起こす割り込み駆動のタイマーを含む請求項１に記載のモニター機器。
【請求項４】
更に、センサーの出力の変化がトリガー事象となりうるかを決定するために用いられる閾値をコントロールするパラメータを用いるセンサー出力をモニターする手段、及び無線受信機により受信されたコマンドからのパラメータを読む手段を含む請求項３に記載のモニター機器。
【請求項５】
更に、各トリガー事象を時刻表上（ｔｉｍｅｌｉｎｅ）にタイムスタンプ（ｔｉｍｅｓｔａｍｐ）と共に記録する手段と、コマンドを受け取り次第リーダーに時刻表を送信する手段を含む請求項３に記載のモニター機器。
【請求項６】
更にコンテナー識別子としてリーダーからのデータを受信する手段を含み、前記コンテナー識別子はモニター機器が付けられているコンテナーに関連付けられており、及びコマンドを受け取り次第コンテナー識別子をリーダーに送信する手段を含む請求項３に記載のモニター機器。
【請求項７】
更に、コマンドを受け取り次第リーダーにセンサー識別子を送信する手段を含み、前記センサー識別子はセンサーのタイプを特定する、請求項３に記載のモニター機器。
【請求項８】
更に、リーダーから受け取ったコマンドに基づきモニター機器のために識別子を変更する手段を含む請求項２に記載のモニター機器。
【請求項９】
更に、各トリガー事象の情報をリアルタイムに送信する手段を含む請求項１に記載のモニター機器。
【請求項１０】
運送用コンテナーの貨物をモニターする方法であって、
運送用コンテナーの第一内部表面にモニター機器を取り付けるステップであって、該モニター機器はセンサー、モニター用電子機器及び無線送信機を含み、該センサーは第一内部表面に配置されて前記発せられたエネルギーを第二内部表面に反射させることができるようにしてなるステップ；
リーダーから無線による開始コマンドを受け取り次第、モニター機器のメモリーにトリガー事象のデータをタイムスタンプとともに記録し始めるステップであって、トリガー事象はセンサー出力の変化であるようにしてなるステップ；及び
リーダーから無線による「反応習得」（ｇｅｔ−ｒｅｓｐｏｎｓｅ）コマンドを受け取り次第、トリガー事象のデータをリーダーに送信するステップ
を含む前記モニターする方法。
【請求項１１】
更に、リーダーから受け取った保存識別子コマンド中の貨物識別子を保存するステップ；及び
リーダーから読み取り識別子コマンドを受け取り次第、貨物識別子を送信するステップ
を含む請求項１１に記載の運送用コンテナーの貨物をモニターする方法。
【請求項１２】
更に、マイクロプロセッサをスリープモードに置き、モニター動作を再開させるために、ある時間経過後にマイクロプロセッサを起動させる割り込み駆動のタイマーをセットすること、を含む請求項１１に記載の運送用コンテナーの貨物をモニターする方法。
【請求項１３】
更に、定期的に環境パラメータを測定すること、メモリーに環境パラメータの数値を記録すること、及びリーダーからコマンドを受け取り次第記録された環境パラメータの数値を送信することを含む請求項１１に記載の運送用コンテナーの貨物をモニターする方法。
【請求項１４】
更に、リーダーから読み取り・センサー・識別子（ｒｅａｄ−ｓｅｎｓｏｒ−ｉｄｅｎｔｉｆｉｅｒ）を受け取り次第センサー識別子を送信するステップを含み、前記センサー識別子はセンサーのタイプを示す、請求項１１に記載の運送用コンテナーの貨物をモニターする方法。
【請求項１５】
更に、センサーパラメータを持つコマンドを受け取るステップ；及び
パラメータに従いセンサー出力をフィルターすることによりトリガー事象が起きた時を決定するためにセンサーパラメータを用いるステップ
を含む請求項１１に記載の運送用コンテナーの貨物をモニターする方法。
【請求項１６】
センサーは周辺光センサーである請求項１に記載のモニター機器。
【請求項１７】
前記センサーは反射エネルギーセンサーを含む請求項１に記載のモニター機器。
【請求項１８】
前記発せられたエネルギー信号はＩＲ信号である請求項１７に記載のモニター機器。
【請求項１９】
前記センサーは近接センサーからなることを特徴とする請求項１７に記載のモニター機器。
【請求項２０】
貨物格納室をモニターするセキュリティーシステムであって、該システムは、
貨物格納室；
電源；
出力することのできるセンサーであって、貨物格納室の内部表面上に配置され、前記電源に電気的に接続されるセンサー；
マイクロプロセッサと該マイクロプロセッサ用のプログラムを保存するファームウェアメモリーとデータメモリーとを備えたセンサー出力に電気的に接続されたモニター電子機器であって、センサー出力の変化をトリガー事象として検知し且つ記録するモニター電子機器；及び
前記モニター電子機器により提供された、トリガー事象に関する情報を送信するために電気的にモニター電子機器に接続された無線送信機であって、該情報はモニター機器識別子を含むようにしてなる無線送信機
を含む前記セキュリティーシステム。
【請求項２１】
貨物格納室をモニターするセキュリティーシステムであって、該システムは、
内部及び外部により画成される貨物格納室；
前記貨物格納室の内部に存在するセンサーであって、エネルギーを発し、発せられたエネルギーを受けることができるセンサー；及び
前記センサーに接続された無線送信機
を含む前記セキュリティーシステム。
【請求項２２】
前記格納室はアクセスポートを含む請求項２１に記載のシステム。
【請求項２３】
前記アクセスポートはドアを含む請求項２２に記載のシステム。
【請求項２４】
前記センサーはアクセスポートに隣接して備え付けられて、前記センサーから発せられた信号が該アクセスポートの上に当たる請求項２３に記載のシステム。
【請求項２５】
輸送格納室をモニターする方法であって、前記方法は、
前記格納室の内部にセンサー及び送信機を備えたモニター機器を配置するステップ；
前記センサーを利用して前記格納室の内部表面の物理的状態をモニターするステップ；及び
前記送信機を利用して前記格納室の内部表面の物理的状態を基に信号を送信するステップであって、前記センサーを利用して前記格納室の内部表面の物理的状態をモニターする前記ステップは、前記室内の周辺光をモニターすることを含むようにしてなるステップ
を含む前記方法。
【請求項２６】
トリガー事象の直後に前記室に関するデータ記録を開始するステップを更に含む請求項２５に記載の方法。
【請求項２７】
前記トリガー事象は前記センサーからの出力の変化である請求項２５に記載の方法。
【請求項２８】
輸送格納室をモニターする方法であって、前記方法は、
前記格納室の内部にセンサー及び送信機を備えたモニター機器を配置するステップ；
前記センサーを利用して前記格納室の内部表面の物理的状態をモニターするステップ；及び
前記送信機を利用して前記格納室の内部表面の物理的状態を基に信号を送信するステップであって、前記センサーを利用して前記格納室の内部表面の物理的状態をモニターする前記ステップは、前記センサーから信号を発して前記室の内部表面に反射させることを含むようにしてなるステップ
を含む前記方法。
【請求項２９】
前記センサーを利用して内部表面によって反射された信号を受信するステップを更に含む請求項２８に記載の方法。
【請求項３０】
前記内部表面は前記表面へのアクセスポートである請求項２８に記載の方法。
【請求項３１】
トリガー事象の直後に前記室に関するデータ記録を開始するステップを更に含む請求項２８に記載の方法。
【請求項３２】
貨物輸送室をモニターする方法であって、前記方法は、
貨物輸送室内の該室の内部表面に近接した位置にモニター機器を配置するステップであって、該モニター機器は近接センサー及び無線送信機を含むようにしてなるステップ；及び
近接センサーの出力の変化を感知し次第、リーダーに受信させるためのモニター機器識別子を無線送信機を用いて送信するステップであって、前記出力の変化は前記室の開口から生じるようにしてなるステップ
を含む前記方法。
【請求項３３】
前記開口のステップは、アクセスポートの開口である請求項３２に記載の方法。
【請求項３４】
前記開口のステップは、前記室に開口部を作成することである請求項３２に記載の方法。
【請求項３５】
運送用コンテナーの貨物をモニターする方法であって、
運送用コンテナーの内部表面にモニター機器を取り付けるステップであって、該モニター機器はセンサー、モニター用電子機器及び無線送信機を含み、該センサーは反射エネルギーセンサーであるようにしてなるステップ；
前記エネルギーセンサーを利用してエネルギーを前記運送用コンテナーの内部表面に反射させるステップ；
リーダーから無線による開始コマンドを受け取り次第、モニター機器のメモリーにトリガー事象のデータをタイムスタンプとともに記録し始めるステップであって、トリガー事象はセンサー出力の変化であるようにしてなるステップ；及び
無線による「反応習得」（ｇｅｔ−ｒｅｓｐｏｎｓｅ）コマンドをリーダーから受け取り次第、トリガー事象のデータをリーダーに送信するステップ
を含む前記モニターする方法。